(57)【要約】【課題】上下に傾斜して設置されるコンベヤベルトのエンドレス部が切断した際に、ベルトの落下を防止できるコンベヤベルトを提供する。【解決手段】心体層２のベルト長手方向端部どうしが接合されたエンドレス部１Ｂに、このエンドレス部１Ｂの接合強力よりも高い引張り強力を有する紐状体５を、ベルト長手方向に延設し、上下に湾曲させて波状に埋設する。【選択図】  図３
2015209327.tif 000002
【特許請求の範囲】
【請求項１】
心体層のベルト長手方向端部どうしが接合されたエンドレス部を有するコンベヤベルトにおいて、前記エンドレス部にこのエンドレス部の接合強力よりも高い引張り強力を有する紐状体が、ベルト長手方向に延設されて上下に湾曲して波状に埋設されていることを特徴とするコンベヤベルト。
【請求項２】
前記紐状体が多数本の繊維で構成されている請求項１に記載のコンベヤベルト。
【請求項３】
前記紐状体がベルト厚さ方向よりもベルト幅方向に幅広の扁平形状である請求項１または２に記載のコンベヤベルト。
【請求項４】
前記紐状体が前記心体層を構成するベルト幅方向に延設された多数本の横糸を上下に縫う状態で埋設されている請求項１〜３のいずれかに記載のコンベヤベルト。
【請求項５】
前記紐状体が前記心体層に形成された複数の貫通穴を上下に貫通して埋設されている請求項１〜３のいずれかに記載のコンベヤベルト。
【請求項６】
前記紐状体の少なくとも一方の端部に相当するベルト表面の範囲に、その周辺のベルト表面とは異なる色の異色部が設けられている請求項１〜５のいずれかに記載のコンベヤベルト。
【発明の詳細な説明】
【技術分野】
【０００１】
本発明は、コンベヤベルトに関し、さらに詳しくは、上下に傾斜して設置されるコンベヤベルトのエンドレス部が切断した際に、ベルトが落下することを防止できるコンベヤベルトに関するものである。
【背景技術】
【０００２】
コンベヤベルトには張力を担う心体層が埋設されている。コンベヤベルトには、心体層が通常の状態で埋設されている本体部と、心体層のベルト長手方向端部どうしを接合させているエンドレス部とが存在している。本体部の引張り強力は心体層そのものの引張り強力になるが、エンドレス部の引張り強力は心体層を接合した部分の接合強力に支配される。心体層のベルト長手方向端部どうしを強固に接合しても、一般に本体部に比してエンドレス部の引張り強力は低くなる。
【０００３】
それ故、コンベヤベルトに意図しない過大な張力が負荷された場合には、エンドレス部でベルトが切断することが多くなる。ベルトが切断すると運搬物の搬送ができなくなり、また、その切断部を接合するにも多大な工数が必要になる。そこで、ベルトの切断を早期に検知する種々の装置が提案されている（例えば、特許文献１参照）。
【０００４】
ところで、コンベヤベルトは、上下に傾斜して設置されることもあるので、このような設置状態でベルトが切断すると、その切断部からベルトが垂れ下がるように落下することになる。この場合には、ベルトを新たにセットして接合するには、より多くの工数が必要になる。そのため、エンドレス部が切断した場合でも、ベルトの落下を防止できる構造が必要になっている。
【先行技術文献】
【特許文献】
【０００５】
【特許文献１】特開２０１４−５８３９４号公報
【発明の概要】
【発明が解決しようとする課題】
【０００６】
本発明の目的は、上下に傾斜して設置されるコンベヤベルトのエンドレス部が切断した際に、ベルトが落下することを防止できるコンベヤベルトを提供することにある。
【課題を解決するための手段】
【０００７】
上記目的を達成するため本発明のコンベヤベルトは、心体層のベルト長手方向端部どうしが接合されたエンドレス部を有するコンベヤベルトにおいて、前記エンドレス部にこのエンドレス部の接合強力よりも高い引張り強力を有する紐状体が、ベルト長手方向に延設されて上下に湾曲して波状に埋設されていることを特徴とする。
【発明の効果】
【０００８】
本発明によれば、仮にエンドレス部が切断した場合でも、エンドレス部に埋設されている紐状体は、エンドレス部の接合強力よりも高い引張り強力を有しているので、エンドレス部で接合されている心体層のベルト長手方向端部どうしを分離させずに繋ぎ止めることができる。それ故、上下に傾斜して設置されるコンベヤベルトのエンドレス部が切断しても、ベルトの落下を防止することができる。しかも、この紐状体は上下に湾曲して波状にコンベヤベルトに埋設されているので、コンベヤベルトの走行によって、プーリまわりで繰り返し屈曲変形されても、疲労破壊し難くなっている。これにより、経時的に安定してベルトの落下防止機能を維持することが可能になっている。
【０００９】
ここで、前記紐状体が多数本の繊維で構成されている仕様にすることもできる。この仕様によれば、紐状体の屈曲耐久性を向上させるには有利なる。
【００１０】
前記紐状体がベルト厚さ方向よりもベルト幅方向に幅広の扁平形状である仕様にすることもできる。この仕様によれば、紐状体の存在によってカバーゴムの厚さが薄くなることやベルトの厚さが増大することを抑制できる。また、紐状体の屈曲耐久性を向上させるには有利なる。
【００１１】
前記紐状体は例えば、前記心体層を構成するベルト幅方向に延設された多数本の横糸を上下に縫う状態で埋設することもできる。或いは、前記心体層に形成された複数の貫通穴を上下に貫通して埋設することもできる。
【００１２】
前記紐状体の少なくとも一方の端部に相当するベルト表面の範囲に、その周辺のベルト表面とは異なる色の異色部が設けられている仕様にすることもできる。この仕様によれば、紐状体に過大な張力が作用した際に、異色部が紐状体によって引っ張られるので、その形状が変化する。したがって、異色部の形状変化を確認することで、エンドレス部が切断している、或いは、切断しそうであることを把握できる。
【図面の簡単な説明】
【００１３】
【図１】上下に傾斜して設置されたコンベヤベルトを例示する説明図である。
【図２】本発明のコンベヤベルトを例示するベルト幅方向断面図である。
【図３】図２のコンベヤベルトのベルト長手方向断面図である。
【図４】図２のコンベヤベルトの平面図である。
【図５】心体層を上下に縫う状態で埋設される紐状体を平面視で例示する説明図である。
【図６】心体層に形成された貫通穴を上下に貫通して埋設される紐状体を平面視で例示する説明図である。
【図７】図４の紐状体の配置の変形例を示すコンベヤベルトの平面図である。
【発明を実施するための形態】
【００１４】
以下、本発明のコンベヤベルトを図に示した実施形態に基づいて説明する。図中の矢印Ｌはベルト長手方向、矢印Ｗはベルト幅方向を示している。
【００１５】
図１に例示するように本発明のコンベヤベルト１は、ベルトコンベヤ装置のプーリ７ａとプーリ７ｂとの間に張設される。コンベヤベルト１が走行すると、プーリ７ａ、７ｂを通過する度にコンベヤベルト１（心体層２）は繰り返し屈曲されることになる。この実施形態では、コンベヤベルト１は上下に傾斜して設置されている。
【００１６】
このコンベヤベルト１は図２〜図４に例示するように、帆布等からなる心体層２と、心体層２の上面側に積層される上カバーゴム層３と、心体層２の下面側に積層される下カバーゴム層４とを備えている。即ち、心体層２は上カバーゴム層３と下カバーゴム層４の間に埋設されている。心体層２はコンベヤベルト１を張設した際の張力を負担する部材である。心体層２は例えば、帆布等により構成される心体層２の数は要求性能によって異なるが、例えば、３〜５層である。この実施形態では、３層の心体層２が積層されている。通常、心体層２どうしの間、心体層２と上カバーゴム層３との間、心体層２と下カバーゴム層４との間には薄い接着ゴム層が配置される。上カバーゴム層３の厚さは、例えば３ｍｍ〜３０ｍｍ、下カバーゴム層４の厚さは、例えば１ｍｍ〜２０ｍｍである。
【００１７】
コンベヤベルト１には、心体層２が通常の状態で埋設されている本体部１Ａと、心体層２のベルト長手方向端部どうしを接合させているエンドレス部１Ｂとが存在している。エンドレス部１Ｂでは、コンベヤベルト１の厚さ方向で同じレベルの心体層２のベルト長手方向端が突き合わせ接合されていて、その突き合わせ位置は、上下に隣り合う心体層２ではベルト長手方向にずれている。即ち、上下に積層された複数の心体層２はステップ状に接合されている。
【００１８】
本発明のコンベヤベルト１は、エンドレス部１Ｂに、このエンドレス部１Ｂの引張り接合強力よりも引張り強力が高い紐状体５が、ベルト長手方向に延設されている。しかも、この紐状体５は上下に湾曲して波状に埋設されている。即ち、紐状体５は上カバーゴム層３および下カバーゴム層４に交互に向かって湾曲している。この実施形態では、１本の紐状体５がベルト幅方向中央部に埋設されている。
【００１９】
紐状体５の種々の仕様のものを用いることができるが、例えば、多数本の繊維（合成繊維や天然繊維）で構成されているヨット用ロープのような紐状体５を用いる。このような仕様によれば、それぞれの細い繊維には過大な曲げ応力が生じないので、紐状体５の屈曲耐久性を向上させるには有利になる。紐状体５の外径（ベルト高さ方向寸法）は例えば６ｍｍ〜１４ｍｍである。
【００２０】
紐状体５の断面形状は、円形状、楕円形状など様々な形状を採用することができるが、例えば、ベルト厚さ方向よりもベルト幅方向に幅広の扁平形状にする。この形状であると、紐状体５の存在によって上カバーゴム層３や下カバーゴム層４の厚さが薄くなることを回避し易くなる。また、ベルトの厚さが増大することを回避し易くなる。また、この形状であると、紐状体５の屈曲耐久性を向上させるには有利になる。
【００２１】
図５に例示するように心体層２が縦糸２ａと横糸２ｂとの平織構造などの場合は、紐状体５は例えば、ベルト幅方向に延設された多数本の横糸２ｂを上下に縫う状態で埋設することもできる。或いは、図６に例示するように、紐状体５を心体層２に形成された複数の貫通穴２ｃを上下に貫通して埋設することもできる。尚、紐状体５は上下に積層された複数の心体層２を上下に貫通させることも、単層の心体層２を上下に貫通させることもできる。
【００２２】
この実施形態のように、紐状体５の端部５ａ、５ｂの少なくともいずれか一方の端部に相当するベルト表面（上カバーゴム層３または下カバーゴム層４の少なくとも一方の表面）の範囲に、その周辺のベルト表面とは異なる色の異色部６を設けることもできる。通常、ベルト表面は黒色なので、異色部６は例えば黒色以外の色ゴムを加硫接着しておく。
【００２３】
コンベヤベルト１の走行中に心体層２に意図しない過大な張力が負荷されて、エンドレス部１Ｂが切断した場合でも、エンドレス部１Ｂに埋設されている紐状体５は、エンドレス部１Ｂの接合強力よりも高い引張り強力を有しているので、エンドレス部１Ｂで接合されている心体層２のベルト長手方向端部どうしを分離させずに繋ぎ止めることができる。したがって、上下に傾斜して設置されているコンベヤベルト１のエンドレス部１Ｂが切断したとしても、ベルトの落下を防止することができる。
【００２４】
しかも、紐状体５は上下に湾曲して波状にコンベヤベルト１に埋設されているので、プーリ７ａ、７ｂまわりで繰り返し屈曲変形されても疲労破壊し難い（耐疲労性に優れている）。それ故、経時的に安定してベルトの落下防止機能を維持でき、いつ生じるか分からない突発的な過大張力に十分に備えることができる。
【００２５】
紐状体５をより強固にコンベヤベルト１に埋設するには、エンドレス部１Ｂを縦断して本体部１Ａまで延設することが好ましい。例えば、紐状体５のそれぞれの端部５ａ、５ｂを本体部１Ａに配置する。
【００２６】
紐状体５の耐疲労性を十分に確保するには、紐状体５の上下振幅は、例えば２ｍｍ以上でかつ、積層されている心体層２の総厚以下、或いは、２ｍｍ以上でかつ、心体層２の総厚プラス５ｍｍ以下にして波状にして埋設する。
【００２７】
上述した異色部６が設けられていると、紐状体５に過大な張力が作用した際には、異色部６が紐状体５によって引っ張られるので、その形状が変化する。それ故、異色部６の形状変化を目視等によって確認することで、エンドレス部１Ｂが切断している、或いは、切断しそうであることを簡単に把握できる。
【００２８】
異色部６は、赤色や黄色などの視認し易い色にすることが好ましい。異色部６の形状は様々な形状を採用することができるが、形状変形が視認し易い形状が好ましい。例えば、円形や正方形などを用いる。
【００２９】
紐状体５は、１本に限らず複数本をコンベヤベルト１に埋設することができる。図７に例示するコンベヤベルト１ではエンドレス部１Ｂのベルト幅方向両端部にそれぞれ紐状体５が埋設されている。紐状体５を複数本にすることで１本当たりの引張り強力を小さくすることができるので細径化につながる。これに伴って、紐状体５の存在によって上カバーゴム層３や下カバーゴム層４の厚さが薄くなることやベルトの厚さが増大することを回避し易くなる。
【００３０】
ベルト幅方向端部に紐状体５を埋設して、その端部５ａ、５ｂに相当するベルト表面の範囲に異色部６を設けるとより好ましい。ベルト幅方向端部はベルト幅方向中央部よりも積載される運搬物が少ない。そのため、ベルト幅方向端部のベルト表面に異色部６を設けると異色部６の形状変化を確認し易くなるメリットがある。
【符号の説明】
【００３１】
１  コンベヤベルト
１Ａ  本体部
１Ｂ  エンドレス部
２  心体層
２ａ  縦糸
２ｂ  横糸
２ｃ  貫通穴
３  上カバーゴム層
４  下カバーゴム層
５  紐状体
５ａ、５ｂ  紐状体の端部
６  異色部
７ａ、７ｂ  プーリ
【図１】
2015209327.tif 000003
【図２】
2015209327.tif 000004
【図３】
2015209327.tif 000005
【図４】
2015209327.tif 000006
【図５】
2015209327.tif 000007
【図６】
2015209327.tif 000008
【図７】
2015209327.tif 000009